(57)【要約】      （修正有）【課題】快適な使用感を与えるマットを提供する。【解決手段】空気流路を形成するシート状のスペーサ２と、このスペーサ２を覆うとともに使用者が乗る上面が空気流路に連通する通気性材料からなるカバー３と、スペーサ２に空気を流すファン装置とを含み、ファン装置を駆動することにより、カバー３の上面から使用者の熱を奪う身体冷却に適したマット１を構成する。又、スペーサ２は、使用者が乗った状態において、カバー内部に厚さ方向の空間からなる空気流路の形成を維持する耐圧縮性樹脂材料からなる。また、スペーサ２の少なくとも一側縁２ｅには、使用者の荷重負荷時にスペーサ２よりも厚さ方向に撓むクッション部１６が設けられる。【選択図】図２
0003161549.tif 000002
【実用新案登録請求の範囲】
【請求項１】
空気流路を形成するシート状のスペーサと、このスペーサを覆うとともに使用者が載る上面が前記空気流路に連通する通気性材料からなるカバーと、前記スペーサに空気を流すファン装置とを含み、前記ファン装置を駆動することにより、前記カバーの上面から使用者の熱を奪う身体冷却に適したマットであって、
前記スペーサは、使用者が載った使用状態において、前記カバー内部に厚さ方向の空間からなる前記空気流路の形成を維持する耐圧縮性樹脂材料からなるとともに、
前記スペーサの少なくとも一側縁に、使用者の荷重負荷時に前記スペーサよりも厚さ方向に撓むクッション部が設けられることを特徴とするマット。
【請求項２】
前記スペーサは矩形状であり、前記クッション部は、前記スペーサの向き合う一対の側縁に設けられる請求項１記載のマット。
【請求項３】
前記クッション部は、スペーサ側から外端部に向かって厚さが漸減する断面テーパ状である請求項１又は２記載のマット。
【請求項４】
前記クッション部は、二つ折りされたシート状の保持布により包まれるとともに、前記保持布の両端部は前記スペーサに連結される請求項１乃至３の何れかに記載のマット。
【請求項５】
前記カバーは、マット幅方向の一方側に前記スペーサの前記空気流路に連通する吸気口が設けられるとともに、
マット幅方向の他方側に、前記スペーサの前記空気流路に連通する排気口が設けられる請求項１乃至４の何れかに記載のマット。
【請求項６】
前記排気口には、前記空気流路の空気を強制的に排出させる前記ファン装置が設けられる請求項５に記載のマット。
【請求項７】
前記スペーサは、平面方向に間隔をあけて配置されかつマット厚さ方向にのびる複数の凸部と、隣り合う凸部間を連結する連結部とを有する請求項１乃至６の何れかに記載のマット。
【請求項８】
前記凸部は、前記上面をなす一方の面材部、前記下面をなす他方の面材部、及び該一方の面材部と該他方の面材部とを厚さ方向に連結する壁部を含み、
前記一方の面材部に、使用者が載置されるとともに、
前記一方の面材部及び前記壁部に空気流路と連通する通気孔が設けられ、
前記連結部は、隣り合う前記凸部の前記一方の面材部間で連結される請求項７に記載のマット。
【請求項９】
前記保持布は、前記スペーサの前記上面側から前記クッション部にのびる上側部と、クッション部の外周面に沿ってのびる折り返し部と、前記スペーサの下面側をのびる下側部とを含み、
前記上側部及び前記下側部は、前記クッション部と前記スペーサとの間で互いに縫い合わされた第１縫合部と、前記スペーサを介して互いに縫い合わされた第２縫合部とを有する請求項４乃至８の何れかに記載のマット。
【請求項１０】
前記スペーサは、マット長さ方向、及びマット幅方向の長さが７５〜１００mmである請求項１乃至９の何れかに記載のマット。
【考案の詳細な説明】
【技術分野】
【０００１】
本考案は、快適な使用感を与える身体冷却に適したマットに関する。
【背景技術】
【０００２】
内部に空気を通過させることにより、使用者の身体の体表付近の温度勾配を大きくして、使用者に涼しさを感じさせることができるマットが一般的に知られている（例えば下記特許文献１参照）。このマットは、内部に空気流路を形成するスペーサと、該空気流路に空気を通過させるファンとを含んで構成される。このようなマットは、その上に載る使用者に涼しさを感じさせることができる。
【０００３】
図１０に示されるように、従来のスペーサａは、上面側をのびる面材部ｂと、該面材部ｂから下面側へ突出する複数の凸部ｃとを有する。また、凸部ｃには、空気をスペーサａの内部に通過させる孔ｄが設けられる。このようなスペーサａは、厚さ方向に撓んで空気流路が塞がれるのを防ぐため、耐圧縮性の樹脂材料から形成される。
【先行技術文献】
【特許文献】
【０００４】
【特許文献１】特許４０６７０３４号公報
【考案の概要】
【考案が解決しようとする課題】
【０００５】
しかしながら、このようなスペーサａは、使用者の荷重負荷時においても厚さ方向に撓みにくいため、スペーサａの側縁ｅに形成される段差ｆが、身体（例えば、脚）ｍを局所的に圧迫し、使用者に違和感を与えるという問題があった。
【０００６】
本考案は、以上のような実状に鑑み案出されたもので、スペーサの少なくとも一側縁に、使用者の荷重負荷時にスペーサよりも厚さ方向に撓むクッション部を設けることを基本として、快適な使用感を与える身体冷却に適したマットを提供することを主たる目的としている。
【課題を解決するための手段】
【０００７】
本考案のうち請求項１記載の考案は、空気流路を形成するシート状のスペーサと、このスペーサを覆うとともに使用者が載る上面が前記空気流路に連通する通気性材料からなるカバーと、前記スペーサに空気を流すファン装置とを含み、前記ファン装置を駆動することにより、前記カバーの上面から使用者の熱を奪う身体冷却に適したマットであって、前記スペーサは、使用者が載った使用状態において、前記カバー内部に厚さ方向の空間からなる前記空気流路の形成を維持する耐圧縮性樹脂材料からなるとともに、前記スペーサの少なくとも一側縁に、使用者の荷重負荷時に前記スペーサよりも厚さ方向に撓むクッション部が設けられることを特徴とする。
【０００８】
また、請求項２記載の考案は、前記スペーサは矩形状であり、前記クッション部は、前記スペーサの向き合う一対の側縁に設けられる請求項１記載のマットである。
【０００９】
また、請求項３記載の考案は、前記クッション部は、スペーサ側から外端部に向かって厚さが漸減する断面テーパ状である請求項１又は２記載のマットである。
【００１０】
また、請求項４記載の考案は、前記クッション部は、二つ折りされたシート状の保持布により包まれるとともに、前記保持布の両端部は前記スペーサに連結される請求項１乃至３の何れかに記載のマットである。
【００１１】
また、請求項５記載の考案は、前記カバーは、マット幅方向の一方側に前記スペーサの前記空気流路に連通する吸気口が設けられるとともに、マット幅方向の他方側に、前記スペーサの前記空気流路に連通する排気口が設けられる請求項１乃至４の何れかに記載のマットである。
【００１２】
また、請求項６記載の考案は、前記排気口には、前記空気流路の空気を強制的に排出させる前記ファン装置が設けられる請求項５に記載のマットである。
【００１３】
また、請求項７記載の考案は、前記スペーサは、平面方向に間隔をあけて配置されかつマット厚さ方向にのびる複数の凸部と、隣り合う凸部間を連結する連結部とを有する請求項１乃至６の何れかに記載のマットである。
【００１４】
また、請求項８記載の考案は、前記凸部は、前記上面をなす一方の面材部、前記下面をなす他方の面材部、及び該一方の面材部と該他方の面材部とを厚さ方向に連結する壁部を含み、前記一方の面材部に、使用者が載置されるとともに、前記一方の面材部及び前記壁部に空気流路と連通する通気孔が設けられ、前記連結部は、隣り合う前記凸部の前記一方の面材部間で連結される請求項７に記載のマットである。
【００１５】
また、請求項９記載の考案は、前記保持布は、前記スペーサの前記上面側から前記クッション部にのびる上側部と、クッション部の外周面に沿ってのびる折り返し部と、前記スペーサの下面側をのびる下側部とを含み、前記上側部及び前記下側部は、前記クッション部と前記スペーサとの間で互いに縫い合わされた第１縫合部と、前記スペーサを介して互いに縫い合わされた第２縫合部とを有する請求項４乃至８の何れかに記載のマットである。
【００１６】
また、請求項１０記載の考案は、前記スペーサは、マット長さ方向、及びマット幅方向の長さが７５〜１００mmである請求項１乃至９の何れかに記載のマットである。
【考案の効果】
【００１７】
本考案のうち請求項１記載のマットは、空気流路を形成するシート状のスペーサと、このスペーサを覆うとともに使用者が載る上面が空気流路に連通する通気性材料からなるカバーと、スペーサに空気を流すファン装置とを含む。このようなマットは、身体の体表付近の温度勾配を大きくして、カバーの上面から使用者の熱を奪い、涼しさを感じさせることができる。
【００１８】
また、スペーサは、耐圧縮性樹脂材料からなるため、使用者が載った使用状態においても空気流路の形成が維持され、冷却効果の低下を抑制できる。さらに、スペーサは、その少なくとも一側縁に、使用者の荷重負荷時にスペーサよりも厚さ方向に撓むクッション部が設けられる。このようなクッション部は、使用者の荷重に応じて厚さ方向に撓みつつ身体を支持できる。従って、マットからはみ出される使用者の身体が、スペーサの側縁に形成される段差により局所的に圧迫されることが抑制され、使用者に快適な使用感を与えることができる。
【００１９】
また、請求項２記載のマットは、スペーサが矩形状に形成されるとともに、クッション部が、スペーサの向き合う一対の側縁に設けられるので、スペーサの両側縁の段差による局部的な圧迫を確実に抑制でき、より快適な使用感を与えることができる。
【００２０】
また、請求項３記載のマットは、クッション部がスペーサ側から外端部に向かって厚さが漸減する断面テーパ状であるため、スペーサ側から外端部に向かって大きくなりがちな身体への圧力を低減でき、より快適な使用感を与えることができる。
【００２１】
また、請求項４記載のマットは、クッション部が、二つ折りされたシート状の保持布により包まれるとともに、保持布の両端部はスペーサに連結される。このような保持布は、定型性に劣るクッション部を確実に保持して、スペーサに固着しうる。
【００２２】
また、請求項５記載のマットは、カバーのマット幅方向の一方側に、スペーサの空気流路に連通する吸気口が設けられるとともに、マット幅方向の他方側に、スペーサの空気流路に連通する排気口が設けられる。これにより、吸気口及び排気口から出入りする空気が、マット長手方向からはみ出る身体に触れることが抑制されるので、快適な使用感を与えることができる。
【００２３】
また、請求項６記載のマットは、排気口に、空気流路の空気を強制的に排出させるファン装置が設けられるので、冷却効果を高めることができる。
【００２４】
また、請求項７記載のマットは、スペーサが、平面方向に間隔をあけて配置されかつマット厚さ方向にのびる複数の凸部と、隣り合う凸部間を連結する連結部とを有する。これにより、隣り合う凸部との間に空間が形成されるので、カバーの内部に、厚さ方向の空間からなる空気流路が形成される。
【００２５】
また、請求項８記載のマットは、凸部が、上面をなす一方の面材部、下面をなす他方の面材部、及び該一方の面材部と該他方の面材部とを厚さ方向に連結する壁部を含み、一方の面材部に、使用者が載置されるとともに、一方の面材部及び前記壁部に空気流路と連通する通気孔が設けられる。このような凸部は、通気孔により、使用者の身体から出た熱や、汗による水蒸気を、空気流路内へ通過させるとともに、空気流路内の空気抵抗を低減するのに役立つ。また、連結部は、隣り合う凸部の一方の面材部間で連結されるので、スペーサの上面側を略平面状に形成できるので、使用者にゴツゴツとした違和感を与えるのを防ぎうる。
【００２６】
また、請求項９記載のマットは、保持布が、スペーサの上面側からクッション部にのびる上側部と、クッション部の外周面に沿ってのびる折り返し部と、スペーサの下面側をのびる下側部とを含み、上側部及び下側部は、クッション部とスペーサとの間で互いに縫い合わされた第１縫合部と、スペーサを介して互いに縫い合わされた第２縫合部とを有する。このような保持布は、クッション部を、確実に包囲して保持しうるとともに、スペーサに強固に固定しうる。
【００２７】
また、請求項１０記載のマットは、スペーサが、マット長さ方向、及びマット幅方向の長さが７５〜１００mmであるため、従来のものに比べて短くかつ軽量に形成されるので、ベッドや布団等の大きさに左右されることなくマットを設置でき、利便性を向上しうる。
【図面の簡単な説明】
【００２８】
【図１】本考案のマットの一実施形態を示す斜視図である。
【図２】マットの使用例を説明する側面図である。
【図３】スペーサ及びクッション部を示す斜視図である。
【図４】図３を拡大して示す斜視図である。
【図５】図３を拡大して示す側面図である。
【図６】スペーサ及びカバーを拡大して示す断面図である。
【図７】ファン装置及び排気口を拡大して示す斜視図である。
【図８】図１のＡ−Ａ断面図である。
【図９】コントローラ部を拡大して示す平面図である。
【図１０】従来のマットにおける使用状態を示す側面図である。
【考案を実施するための形態】
【００２９】
以下、本考案の実施の一形態が図面に基づき説明される。
図１に示されるように、本実施形態のマット１は、空気流路５を形成するスペーサ２と、このスペーサ２を覆うカバー３と、該スペーサ２に空気を流すファン装置４とを含んで構成される。このマット１は、ファン装置４の駆動によって空気流路５に空気が流されることにより、カバー３の上面から使用者の熱を奪って涼しさを感じさせることができる。
【００３０】
また、マット１は、例えば、マット長さ方向の長さＬ１及びマット幅方向の長さＬ２が８００〜１１００mm程度の平面視略矩形状に形成される。このようなマット１は、マット長さ方向の長さＬ１を、従来のものに比べて短くかつ軽量に形成されるので、ベッドや布団等の大きさに左右されることなくマット１を設置でき、利便性を向上しうる。本実施形態では、図２に示されるように、マット長さ方向の一端側ｔ１から使用者の頭部Ｍ１及び／又はマット長さ方向の他端側ｔ２から脚部Ｍ２がはみ出されて使用されるが、身体の大部分がマット１に載置されるので、冷却効果を十分に発揮しうる。
【００３１】
本実施形態のスペーサ２は、図３に示されるように、例えば、マット長さ方向の長さＬ３及びマット幅方向の長さＬ４が７５０〜１０００mm程度、最大厚さＷ１が５〜１５mm程度の平面視略矩形状かつ小厚さのシート状に形成される。
【００３２】
また、スペーサ２のマット幅方向の他方側ｒ２には、マット長さ方向の他端側ｔ２から一端側ｔ１に向かって入隅状に切り欠いた切欠部２Ｃが設けられる。この切欠部２Ｃは、例えば、マット長さ方向の長さＬ５が２００〜４００mm程度、マット幅方向の長さＬ６が１０〜３０mm程度に設定される。
【００３３】
本実施形態のスペーサ２は、図４及び図５に拡大して示されるように、平面方向に間隔をあけて配置されかつマット厚さ方向にのびる複数の凸部１１と、隣り合う凸部１１、１１間を連結する連結部１２とを含んで構成される。隣り合う凸部１１、１１との間には、空間が形成されるので、カバー３（図１に示す）の内部に、厚さ方向の空間からなる前記空気流路５が形成される。
【００３４】
また、スペーサ２は、使用者が載せられた荷重負荷時においても、凸部１１の厚さ方向の撓みを抑制しうる耐圧縮性樹脂材料からなる。このため、スペーサ２は、空気流路５の形成を維持でき、冷却効果の低下を防ぎうる。この耐圧縮性樹脂材料としては、適宜選択できるが、例えば、ポリエチレン、ポリプロピレン、又はポリアセタール等が採用される。
【００３５】
前記凸部１１は、図３に示されるように、マット長さ方向、及びマット幅方向にグリッド状（格子状）に配され、例えば、１平方メートル当たり４００〜５００個程度設けられる。また、凸部１１は、図４及び図５に拡大して示されるように、スペーサ２の上面Ｓ１をなす一方の面材部１１Ａ、下面Ｓ２をなす他方の面材部１１Ｂ、及び該一方の面材部１１Ａと該他方の面材部１１Ｂとを厚さ方向に連結する壁部１１Ｃを含んで形成される。
【００３６】
前記一方の面材部１１Ａは、平面視略矩形状に形成され、前記カバー３（図１に示す）を介して使用者が載置される。また、一方の面材部１１Ａの中央には、略矩形状の通気孔１３が設けられる。この通気孔１３は、使用者の身体から出た熱や、汗による水蒸気を、空気流路５内へ通過させるのに役立つ。
【００３７】
前記他方の面材部１１Ｂは、一方の面材部１１Ａよりも僅かに小さい平面視略矩形状に形成される。この他方の面材部１１Ｂの中央には、上面Ｓ１側へ突出する略円形状の突出部１４が設けられる。この突出部１４は、他方の面材部１１Ｂの曲げ剛性を高め、スペーサ２の耐久性を向上しうる。
【００３８】
前記壁部１１Ｃは、一方の面材部１１Ａの四辺からそれぞれ下面Ｓ２側へ立ち上り、かつ他方の面材部１１Ｂと連結する、側面視略台形状に形成される。この壁部１１Ｃの中央には、通気孔１５が設けられ、空気流路５内の空気抵抗を低減するのに役立つ。
【００３９】
前記連結部１２は、凸部１１の一方の面材部１１Ａの四方から、それぞれ隣り合う凸部１１の一方の面材部１１Ａへのびる薄板状に形成され、下面Ｓ２側に僅かに円弧状に湾曲している。このような連結部１２は、スペーサ２の厚さ方向に容易に撓むことができ、スペーサ２に適度な柔軟性を与えることができる。しかも、連結部１２は、隣り合う凸部１１の一方の面材部１１Ａ間で連結されるので、スペーサ２の上面Ｓ１側を略平面状に形成でき、使用者にゴツゴツとした違和感を与えるのを防ぎうる。
【００４０】
そして、本実施形態のスペーサ２には、図３に示されるように、その少なくとも一側縁２ｅに、該スペーサ２に沿って配されるクッション部１６が設けられる。本実施形態のクッション部１６は、スペーサ２のマット長手方向の一端側ｔ１及び他端側ｔ２の両側縁２ｅ、２ｅにそれぞれ設けられる。
【００４１】
前記クッション部１６は、例えば、マット長さ方向の長さＬ７が２０mm〜４０mm程度、マット幅方向の長さＬ８が６００mm〜８００mm程度、厚さＷ２（図５に示す）が５〜１５mm程度に形成され、平面視略横長矩形状に形成される。このクッション部１６には、例えば、ウレタンフォーム、発泡ポリプロピレン（ＥＰＰ）、発泡ポリエチレン（ＥＰＥ）等が採用でき、弾力性及び耐久性に優れるウレタンフォームが好ましい。このようなクッション部１６は、使用者の荷重負荷時において、スペーサ２よりも厚さ方向に撓んで使用者を支持しうる。
【００４２】
本実施形態のクッション部１６は、二つ折りされたシート状の保持布１７によって包まれて保持される。この保持布１７は、その両端部がスペーサ２に連結されることにより、クッション部１６とスペーサ２とが一体に固着される。このような保持布１７は、定型性に劣るクッション部１６を確実に保持して、スペーサ２に固着しうる。
【００４３】
前記保持布１７は、図４及び図５に示されるように、例えば通気性を有する不織布からなり、スペーサ２の上面Ｓ１側からクッション部１６にのびる上側部１７Ａと、クッション部１６の外周面に沿ってのびる折り返し部１７Ｂと、スペーサ２の下面Ｓ２側をのびる下側部１７Ｃとを含んで形成される。また、上側部１７Ａ及び下側部１７Ｃは、クッション部１６とスペーサ２との間で互いに縫い合わされた第１縫合部１８Ａと、スペーサ２を介して互いに縫い合わされた第２縫合部１８Ｂとを有する。
【００４４】
前記第１縫合部１８Ａは、保持布１７の上側部１７Ａ、折り返し部１７Ｂ及び下側部１７Ｃで、クッション部１６の外周面１６ｓの全周を包囲して、上側部１７Ａと下側部１７Ｃとが縫い合わされて形成される。これにより、保持布１７は、クッション部１６を確実に包囲しうる。
【００４５】
前記第２縫合部１８Ｂは、第１の縫合部１８Ａからスペーサ２の上面Ｓ１側にのびる保持布１７の上側部１７Ａとスペーサ２の下面Ｓ２側にのびる下側部１７Ｃとが、スペーサ２の側縁２ｅに配される凸部１１の外周面を包囲し、かつ該凸部１１からスペーサ２側にのびる連結部１２を介して縫い合わされることにより形成される。これにより、保持布１７は、凸部１１との大きな摩擦、及び連結部１２への縫合により、クッション部１６をスペーサ２に強固に連結しうる。
【００４６】
次に、前記カバー３は、図６に拡大して示されるように、スペーサ２の上面Ｓ１側を覆う上カバー材３Ａと、下面Ｓ２側を覆う下カバー材３Ｂとを含んで構成され、例えばファスナー材２１等で接離自在に接続される。このようなカバー３は、上カバー材３Ａ及び下カバー材３Ｂを離間させてスペーサ２等を取り出すことができるので、カバー３を容易に洗濯することができ、メンテナンス性に優れる。
【００４７】
前記上カバー材３Ａは、例えば、スペーサ２の上面Ｓ１から外側にかけて、メッシュシート２２及び表面生地２３が、順次配される。表面生地２３には、例えばＴＴＣ（ポリエステル及び綿の平織）や、ナイロンタフタ等が採用される。このような上カバー材３Ａは、メッシュシート２２及び表面生地２３のいずれも通気性に優れる通気性材料からなるため、使用者の身体から出た熱や汗による水蒸気を、空気流路５内へ通過させることができる。
【００４８】
前記下カバー材３Ｂは、例えば、不織布２４、ウレタンフォーム２５、及び裏面生地２６とを含んで構成される。裏面生地２６には、表面生地２３と同様に、例えばＴＴＣ（ポリエステル及び綿の平織）や、ナイロンタフタ等から構成される。
【００４９】
また、本実施形態のカバー３には、図１及び図７に拡大して示されるように、マット幅方向の一方側ｒ１にスペーサ２の空気流路５に連通する吸気口２７が設けられるとともに、マット幅方向の他方側ｒ２に、空気流路５に連通する排気口２８が設けられる。これにより、吸気口２７及び排気口２８から出入りする空気が、マット長手方向からはみ出る身体に触れることが抑制されるので、快適な使用感を与えることができる。
【００５０】
前記吸気口２７は、上カバー材３Ａのマット幅方向の一方側ｒ１で開口することにより形成される。この吸気口２７は、例えば、マット長さ方向の長さＬ９が８００〜１１００mm程度、かつマット幅方向の長さＬ１０が１５０〜２５０mm程度に設定される。このように、吸気口２７は、上カバー材３Ａで大きく開口するため、大量の空気を空気流路５に導入できる。また、吸気口２７は、図６に示されるように、前記メッシュシート２２のみで覆われ、前記表面生地２３は配されていない。従って、吸気口２７は、上カバー材３Ａのうち表面生地２３で覆われた部分よりも、小さな圧力損失で外部の空気を吸気することができる。また、吸気口２７は、メッシュシート２２によって、異物の浸入が抑制される。
【００５１】
前記排気口２８は、図７に示されるように、スペーサ２の切欠部２Ｃに沿って切り取られた入隅部２８Ａにおいて、上カバー材３Ａと下カバー材３Ｂとの間で開口することにより形成される。この排気口２８は、そのマット長さ方向の長さＬ１１、マット幅方向の長さＬ１２、及び厚さＷ３が、切欠部２Ｃと略同一に設定され、吸気口２７よりも小さな開口面積で形成される。また、排気口２８には、空気流路５の空気を強制的に排出させる前記ファン装置４が設けられる。
【００５２】
前記ファン装置４は、中空に形成されたケース３２と、該ケース３２の内部の空気を外部へ排出するファン３３（図８に示す）と、コンセントプラグが設けられた電源コード（図示省略）とを含んで形成される。
【００５３】
前記ケース３２は、マット長さ方向にのびる偏平な基部３２Ａと、該基部３２Ａのマット長さ方向の一端側ｔ１で厚さが拡大する膨出部３２Ｂと、該基部３２Ａの上面Ｓ１にファン３３の風量や送風時間を制御するコントローラ部３２Ｃと含んで構成される。このようなケース３２は、コントローラ部３２Ｃが一体に形成されるので、マット１をよりコンパクト化でき、利便性を向上できる。
【００５４】
前記基部３２Ａには、図７及び図８に示されるように、そのスペーサ２側に、排気口２８に沿って開口する開口部３４が設けられる。また、基部３２Ａには、開口部３４からスペーサ２に向かって小長さでのびる耳部３５が形成される。この耳部３５は、排気口２８の側縁２８ｅを覆い、かつネジや面ファスナー等の固着具（図示省略）によって固定される。従って、ケース３２とカバー３とが着脱自在に固着され、メンテナンス性に優れる。また、耳部３５は、側縁２８ｅと密着して固着されるため、排気口２８と開口部３４との間で、ほぼ気密を保つことができる。
【００５５】
また、基部３２Ａには、図７に示されるように、その下面Ｓ２側から下方へのびて接地し、膨出部３２Ｂとともにケース３２を支持する脚部３６が設けられる。これにより、ケース３２は、開口部３４を略水平に保ったまま安定して支持される。
【００５６】
前記膨出部３２Ｂには、図７及び図８に示されるように、マット長さ方向にのびるスリット状の通気溝３７が設けられる。これにより、ケース３２は、基部３２Ａの開口部３４から通気溝３７までを連通させることができる。また、膨出部３２Ｂは、ケース３２において部分的に厚さを大きくして形成されるため、該ケース３２をコンパクトに保ちつつ、ファン３３を取付けることができる。
【００５７】
前記コントローラ部３２Ｃは、図９に拡大して示されるように、電源ボタン４１と、タイマーボタン４２と、送風切替ボタン４３とを含んで構成される。電源ボタン４１が押下されると、ファン３３（図８に示す）の運転が開始される。また、タイマーボタン４２が押下されるごとに、ファン３３の送風時間（例えば、６時間、８時間、１０時間）が段階的に切り替わり、任意の送風時間に設定できる。さらに、送風切替ボタン４３が押下されるごとに、ファン３３の風量（例えば、「強」、「中」、「弱」）が段階的に切り替わり、任意の風量に設定できる。
【００５８】
前記ファン３３（図８に示す）は、例えば、公知のＤＣ軸流ファンからなる。このファン３３の最大風量については、特に限定されないが、例えば、１００〜２００リットル／分のものが選択される。
【００５９】
このようなマット１は、図８に示されるように、コントローラ部３２Ｃ（図７に示す）からの信号によりファン３３の送風が作動し、ケース３２の内部空間の空気が通気溝３７から外部に排出される。これにより、ケース３２の内部空間は負圧状態となるため、空気流路５内の空気が、排気口２８及び開口部３４を介してケース３２に流入する。また、負圧状態となる空気流路５は、スペーサ２の上面Ｓ１側及び下面Ｓ２側がカバー３で覆われるため、吸気口２７を介して外部の空気が流入する。
【００６０】
このように、空気流路５内には、外部からの空気が絶えず流入しかつ排出されるので、空気流路５内に、上カバー材３Ａを介して排出された使用者の汗による水蒸気や熱を、マット１の外部へ排出できる。これにより、マット１は、身体の体表付近の温度勾配を大きくし、身体を冷却することができる。
【００６１】
また、スペーサ２には、その少なくとも一側縁２ｅに、使用者の荷重負荷時にスペーサ２よりも厚さ方向に撓むクッション部１６が設けられる。これにより、図２に示されるように、マット１からはみ出される使用者の身体が、スペーサ２の側縁２ｅに形成される段差２Ｆにより局所的に圧迫されることが抑制されるので、使用者に快適な使用感を与えることができる。しかも、本実施形態のクッション部１６は、使用者の頭部Ｍ１及び／又は脚部Ｍ２がはみ出されるマット長さ方向の一端側ｔ１及び他端側ｔ２の両側縁２ｅ、２ｅに形成されるので、段差２Ｆによる局部的な圧迫を確実に抑制できる。
【００６２】
さらに、クッション部１６は、図１及び図２に示されるように、空気流路５のマット長さ方向の両側を囲って、空気の流れと略平行に配されるので、スペーサ２の一端側ｔ１及び他端側ｔ２の両側縁２ｅ、２ｅから空気が漏れるのを抑えることができ、空気を効率よく流すことができる。
【００６３】
また、排気口２８は、図１及び図７に示されるように、吸気口２７よりも小さい開口面積を有するため、ファン装置４を小型化することができ、マット１をコンパクトに形成しうる。一方、吸気口２７は、大きな開口面積を有するので、大量の空気を、空気流路５に流入させることができ、冷却効果を高めることができる。
【００６４】
さらに、排気口２８は、入隅状に形成されるため、図７に示されるように、マット幅方向及びマット長さ方向から空気流路５内の空気を排気することができる。従って、ファン装置４がマット長さ方向の他端側ｔ２に配されていても、空気流路５内の空気を万遍なく広範囲に亘って吸気でき、冷却効率を向上させることができる。本実施形態のファン装置４は、マット長さ方向の他端側ｔ２に設けられるので、使用者の頭部Ｍ１からファン３３を遠ざけることができ、使用者に快適な使用感を与えることができる。
【００６５】
また、クッション部１６は、図２に示されるように、スペーサ２側から外端部に向かって厚さが漸減する断面テーパ状に形成されるのが好ましい。これによりクッション部１６は、スペーサ２側から外端部に向かって大きくなりがちな身体への圧力を低減でき、より快適な使用感を与えることができる。
【００６６】
以上、本考案の特に好ましい実施形態について詳述したが、本考案は図示の実施形態に限定されることなく、種々の態様に変形して実施しうる。
【符号の説明】
【００６７】
１    マット
２    スペーサ
３    カバー
４    ファン
５    空気流路
１６    クッション部
【図１】
0003161549.tif 000003
【図２】
0003161549.tif 000004
【図３】
0003161549.tif 000005
【図４】
0003161549.tif 000006
【図５】
0003161549.tif 000007
【図６】
0003161549.tif 000008
【図７】
0003161549.tif 000009
【図８】
0003161549.tif 000010
【図９】
0003161549.tif 000011
【図１０】
0003161549.tif 000012
【手続補正書】
【提出日】平成22年6月1日(2010.6.1)
【手続補正１】
【補正対象書類名】実用新案登録請求の範囲
【補正対象項目名】請求項５
【補正方法】変更
【補正の内容】
【請求項５】
前記保持布は、前記スペーサの上面側から前記クッション部にのびる上側部と、クッション部の外周面に沿ってのびる折り返し部と、前記スペーサの下面側をのびる下側部とを含み、
前記上側部及び前記下側部は、前記クッション部と前記スペーサとの間で互いに縫い合わされた第１縫合部と、前記スペーサを介して互いに縫い合わされた第２縫合部とを有する請求項４に記載のマット。
【手続補正２】
【補正対象書類名】実用新案登録請求の範囲
【補正対象項目名】請求項６
【補正方法】変更
【補正の内容】
【請求項６】
前記カバーは、マット幅方向の一方側に前記スペーサの前記空気流路に連通する吸気口が設けられるとともに、
マット幅方向の他方側に、前記スペーサの前記空気流路に連通する排気口が設けられる請求項１乃至５の何れかに記載のマット。
【手続補正３】
【補正対象書類名】実用新案登録請求の範囲
【補正対象項目名】請求項７
【補正方法】変更
【補正の内容】
【請求項７】
前記排気口には、前記空気流路の空気を強制的に排出させる前記ファン装置が設けられる請求項６に記載のマット。
【手続補正４】
【補正対象書類名】実用新案登録請求の範囲
【補正対象項目名】請求項８
【補正方法】変更
【補正の内容】
【請求項８】
前記スペーサは、平面方向に間隔をあけて配置されかつマット厚さ方向にのびる複数の凸部と、隣り合う凸部間を連結する連結部とを有する請求項１乃至７の何れかに記載のマット。
【手続補正５】
【補正対象書類名】実用新案登録請求の範囲
【補正対象項目名】請求項９
【補正方法】変更
【補正の内容】
【請求項９】
前記凸部は、前記スペーサの上面をなす一方の面材部、前記スペーサの下面をなす他方の面材部、及び該一方の面材部と該他方の面材部とを厚さ方向に連結する壁部を含み、
前記一方の面材部に、使用者が載置されるとともに、
前記一方の面材部及び前記壁部に空気流路と連通する通気孔が設けられ、
前記連結部は、隣り合う前記凸部の前記一方の面材部間で連結される請求項８に記載のマット。
【手続補正６】
【補正対象書類名】明細書
【補正対象項目名】００１１
【補正方法】変更
【補正の内容】
【００１１】
また、請求項５記載の考案は、前記保持布は、前記スペーサの上面側から前記クッション部にのびる上側部と、クッション部の外周面に沿ってのびる折り返し部と、前記スペーサの下面側をのびる下側部とを含み、前記上側部及び前記下側部は、前記クッション部と前記スペーサとの間で互いに縫い合わされた第１縫合部と、前記スペーサを介して互いに縫い合わされた第２縫合部とを有する請求項４に記載のマットである。
【手続補正７】
【補正対象書類名】明細書
【補正対象項目名】００１２
【補正方法】変更
【補正の内容】
【００１２】
また、請求項６記載の考案は、前記カバーは、マット幅方向の一方側に前記スペーサの前記空気流路に連通する吸気口が設けられるとともに、マット幅方向の他方側に、前記スペーサの前記空気流路に連通する排気口が設けられる請求項１乃至５の何れかに記載のマットである。
【手続補正８】
【補正対象書類名】明細書
【補正対象項目名】００１３
【補正方法】変更
【補正の内容】
【００１３】
また、請求項７記載の考案は、前記排気口には、前記空気流路の空気を強制的に排出させる前記ファン装置が設けられる請求項６に記載のマットである。
【手続補正９】
【補正対象書類名】明細書
【補正対象項目名】００１４
【補正方法】変更
【補正の内容】
【００１４】
また、請求項８記載の考案は、前記スペーサは、平面方向に間隔をあけて配置されかつマット厚さ方向にのびる複数の凸部と、隣り合う凸部間を連結する連結部とを有する請求項１乃至７の何れかに記載のマットである。
【手続補正１０】
【補正対象書類名】明細書
【補正対象項目名】００１５
【補正方法】変更
【補正の内容】
【００１５】
また、請求項９記載の考案は、前記凸部は、前記スペーサの上面をなす一方の面材部、前記スペーサの下面をなす他方の面材部、及び該一方の面材部と該他方の面材部とを厚さ方向に連結する壁部を含み、前記一方の面材部に、使用者が載置されるとともに、前記一方の面材部及び前記壁部に空気流路と連通する通気孔が設けられ、前記連結部は、隣り合う前記凸部の前記一方の面材部間で連結される請求項８に記載のマット
【手続補正１１】
【補正対象書類名】明細書
【補正対象項目名】００２２
【補正方法】変更
【補正の内容】
【００２２】
また、請求項５記載のマットは、保持布が、スペーサの上面側からクッション部にのびる上側部と、クッション部の外周面に沿ってのびる折り返し部と、スペーサの下面側をのびる下側部とを含み、上側部及び下側部は、クッション部とスペーサとの間で互いに縫い合わされた第１縫合部と、スペーサを介して互いに縫い合わされた第２縫合部とを有する。このような保持布は、クッション部を、確実に包囲して保持しうるとともに、スペーサに強固に固定しうる。
【手続補正１２】
【補正対象書類名】明細書
【補正対象項目名】００２３
【補正方法】変更
【補正の内容】
【００２３】
また、請求項６記載のマットは、カバーのマット幅方向の一方側に、スペーサの空気流路に連通する吸気口が設けられるとともに、マット幅方向の他方側に、スペーサの空気流路に連通する排気口が設けられる。これにより、吸気口及び排気口から出入りする空気が、マット長手方向からはみ出る身体に触れることが抑制されるので、快適な使用感を与えることができる。
【手続補正１３】
【補正対象書類名】明細書
【補正対象項目名】００２４
【補正方法】変更
【補正の内容】
【００２４】
また、請求項７記載のマットは、排気口に、空気流路の空気を強制的に排出させるファン装置が設けられるので、冷却効果を高めることができる。
【手続補正１４】
【補正対象書類名】明細書
【補正対象項目名】００２５
【補正方法】変更
【補正の内容】
【００２５】
また、請求項８記載のマットは、スペーサが、平面方向に間隔をあけて配置されかつマット厚さ方向にのびる複数の凸部と、隣り合う凸部間を連結する連結部とを有する。これにより、隣り合う凸部との間に空間が形成されるので、カバーの内部に、厚さ方向の空間からなる空気流路が形成される。
【手続補正１５】
【補正対象書類名】明細書
【補正対象項目名】００２６
【補正方法】変更
【補正の内容】
【００２６】
また、請求項９記載のマットは、凸部が、上面をなす一方の面材部、下面をなす他方の面材部、及び該一方の面材部と該他方の面材部とを厚さ方向に連結する壁部を含み、一方の面材部に、使用者が載置されるとともに、一方の面材部及び前記壁部に空気流路と連通する通気孔が設けられる。このような凸部は、通気孔により、使用者の身体から出た熱や、汗による水蒸気を、空気流路内へ通過させるとともに、空気流路内の空気抵抗を低減するのに役立つ。また、連結部は、隣り合う凸部の一方の面材部間で連結されるので、スペーサの上面側を略平面状に形成できるので、使用者にゴツゴツとした違和感を与えるのを防ぎうる。